【手続補正書】
【提出日】平成28年7月26日(2016.7.26)
【手続補正１】
【補正対象書類名】特許請求の範囲
【補正対象項目名】全文
【補正方法】変更
【補正の内容】
【特許請求の範囲】
【請求項１】
発光成分に波長４２０〜４９０ｎｍの青色光を含むＬＥＤ光源を有した青色光の発光装置又は擬似白色光の発光装置であって、下記式（１）
Ａ2（Ｍ1-xＭｎx）Ｆ6  （１）
（式中、ＭはＳｉ、Ｔｉ、Ｚｒ、Ｈｆ、Ｇｅ及びＳｎから選ばれる１種又は２種以上の４価元素、ＡはＬｉ、Ｎａ、Ｋ、Ｒｂ及びＣｓから選ばれ、かつ少なくともＮａ及び／又はＫを含む１種又は２種以上のアルカリ金属であり、ｘは０．００１〜０．３である。）
で表される複フッ化物蛍光体が熱可塑性樹脂に分散された樹脂成型体である演色性向上部材が、上記ＬＥＤ光源から光が照射される領域のうち、ＬＥＤ光源の発光面の外周を通る、発光軸と平行な周面を仮想した場合の、該周面とその内側の領域から外れた位置に配置されていることを特徴とする発光装置。
【請求項２】
上記演色性向上部材が、上記ＬＥＤ光源から離間し、かつ空間的に独立して配置されていることを特徴とする請求項１記載の発光装置。
【請求項３】
上記演色性向上部材が、上記ＬＥＤ光源の発光軸に対して、出射角１０°以上１２０°以下の範囲の位置に配置されることを特徴とする請求項１又は２記載の発光装置。
【請求項４】
上記演色性向上部材が、上記ＬＥＤ光源の発光軸の周辺に該発光軸を囲むように配置されることを特徴とする請求項１〜３のいずれか１項記載の発光装置。
【請求項５】
上記演色性向上部材及び上記ＬＥＤ光源の背後に設けられた、該演色性向上部材からの光を反射する反射板、又はランプシェードを具備し、上記反射板周辺又は上記ランプシェード周辺に、上記演色性向上部材が配置されていることを特徴とする請求項１〜４のいずれか１項記載の発光装置。
【請求項６】
上記演色性向上部材及び上記ＬＥＤ光源の背後に設けられた、該演色性向上部材からの光を反射する反射板を具備し、該反射板上に上記演色性向上部材が配置されていることを特徴とする請求項１〜４のいずれか１項記載の発光装置。
【請求項７】
上記複フッ化物蛍光体が、Ｋ2（Ｓｉ1-xＭｎx）Ｆ6（ｘは上記と同じ）で表されるマンガン賦活ケイフッ化カリウムであることを特徴とする請求項１〜６のいずれか１項記載の発光装置。
【請求項８】
上記樹脂成型体が、上記複フッ化物蛍光体が熱可塑性樹脂に混練された熱成型体であることを特徴とする請求項１〜７のいずれか１項記載の発光装置。
【請求項９】
上記複フッ化物蛍光体が、体積累計５０％の粒径Ｄ５０が２μｍ以上２００μｍ以下の粒子状である請求項１〜８のいずれか１項記載の発光装置。
【請求項１０】
上記ＬＥＤ光源が白色光を出射するものであることを特徴とする請求項１〜９のいずれか１項記載の発光装置。
【手続補正２】
【補正対象書類名】明細書
【補正対象項目名】００１１
【補正方法】変更
【補正の内容】
【００１１】
従って、本発明は、下記の発光装置を提供する。
〔１〕  発光成分に波長４２０〜４９０ｎｍの青色光を含むＬＥＤ光源を有した青色光の発光装置又は擬似白色光の発光装置であって、下記式（１）
Ａ2（Ｍ1-xＭｎx）Ｆ6  （１）
（式中、ＭはＳｉ、Ｔｉ、Ｚｒ、Ｈｆ、Ｇｅ及びＳｎから選ばれる１種又は２種以上の４価元素、ＡはＬｉ、Ｎａ、Ｋ、Ｒｂ及びＣｓから選ばれ、かつ少なくともＮａ及び／又はＫを含む１種又は２種以上のアルカリ金属であり、ｘは０．００１〜０．３である。）
で表される複フッ化物蛍光体が熱可塑性樹脂に分散された樹脂成型体である演色性向上部材が、上記ＬＥＤ光源から光が照射される領域のうち、ＬＥＤ光源の発光面の外周を通る、発光軸と平行な周面を仮想した場合の、該周面とその内側の領域から外れた位置に配置されていることを特徴とする発光装置。
〔２〕 上記演色性向上部材が、上記ＬＥＤ光源から離間し、かつ空間的に独立して配置されていることを特徴とする〔１〕記載の発光装置。
〔３〕  上記演色性向上部材が、上記ＬＥＤ光源の発光軸に対して、出射角１０°以上１２０°以下の範囲の位置に配置されることを特徴とする〔１〕又は〔２〕記載の発光装置。
〔４〕  上記演色性向上部材が、上記ＬＥＤ光源の発光軸の周辺に該発光軸を囲むように配置されることを特徴とする〔１〕〜〔３〕のいずれかに記載の発光装置。
〔５〕  上記演色性向上部材及び上記ＬＥＤ光源の背後に設けられた、該演色性向上部材からの光を反射する反射板、又はランプシェードを具備し、上記反射板周辺又は上記ランプシェード周辺に、上記演色性向上部材が配置されていることを特徴とする〔１〕〜〔４〕のいずれかに記載の発光装置。
〔６〕  上記演色性向上部材及び上記ＬＥＤ光源の背後に設けられた、該演色性向上部材からの光を反射する反射板を具備し、該反射板上に上記演色性向上部材が配置されていることを特徴とする〔１〕〜〔４〕のいずれかに記載の発光装置。
〔７〕  上記複フッ化物蛍光体が、Ｋ2（Ｓｉ1-xＭｎx）Ｆ6（ｘは上記と同じ）で表されるマンガン賦活ケイフッ化カリウムであることを特徴とする〔１〕〜〔６〕のいずれかに記載の発光装置。
〔８〕  上記樹脂成型体が、上記複フッ化物蛍光体が熱可塑性樹脂に混練された熱成型体であることを特徴とする〔１〕〜〔７〕のいずれかに記載の発光装置。
〔９〕  上記複フッ化物蛍光体が、体積累計５０％の粒径Ｄ５０が２μｍ以上２００μｍ以下の粒子状である〔１〕〜〔８〕のいずれかに記載の発光装置。
〔１０〕  上記ＬＥＤ光源が白色光を出射するものであることを特徴とする〔１〕〜〔９〕のいずれかに記載の発光装置。
また、本発明は、下記の発光装置が関連する。
〔ｉ〕  発光成分に波長４２０〜４９０ｎｍの青色光を含むＬＥＤ光源を有した青色光の発光装置又は擬似白色光の発光装置であって、青色光を吸収して赤色光を発光する蛍光体を含有した演色性向上部材を、上記ＬＥＤ光源から光が照射される領域のうち、その発光軸に平行な光の照射領域から外れた位置に配置することを特徴とする発光装置。
〔ｉｉ〕  上記演色性向上部材が、上記ＬＥＤ光源の発光軸に対して、出射角１０°以上１２０°以下の範囲の位置に配置されることを特徴とする〔ｉ〕記載の発光装置。
〔ｉｉｉ〕  上記演色性向上部材が、上記ＬＥＤ光源の発光軸の周辺に該発光軸を囲むように配置されることを特徴とする〔ｉ〕又は〔ｉｉ〕記載の発光装置。
〔ｉｖ〕  上記演色性向上部材及び上記ＬＥＤ光源の背後に、該演色性向上部材からの光を反射する反射板を具備したことを特徴とする〔ｉ〕〜〔ｉｉｉ〕のいずれかに記載の発光装置。
〔ｖ〕  上記蛍光体が、下記式（１）
Ａ2（Ｍ1-xＭｎx）Ｆ6  （１）
（式中、ＭはＳｉ、Ｔｉ、Ｚｒ、Ｈｆ、Ｇｅ及びＳｎから選ばれる１種又は２種以上の４価元素、ＡはＬｉ、Ｎａ、Ｋ、Ｒｂ及びＣｓから選ばれ、かつ少なくともＮａ及び／又はＫを含む１種又は２種以上のアルカリ金属であり、ｘは０．００１〜０．３である。）
で表される複フッ化物蛍光体であることを特徴とする〔ｉ〕〜〔ｉｖ〕のいずれかに記載の発光装置。
〔ｖｉ〕  上記複フッ化物蛍光体が、Ｋ2（Ｓｉ1-xＭｎx）Ｆ6（ｘは上記と同じ）で表されるマンガン賦活ケイフッ化カリウムであることを特徴とする〔ｖ〕記載の発光装置。
〔ｖｉｉ〕  上記演色性向上部材が、上記複フッ化物蛍光体からなることを特徴とする〔ｖ〕又は〔ｖｉ〕記載の発光装置。
〔ｖｉｉｉ〕  上記演色性向上部材が、上記複フッ化物蛍光体を分散した樹脂成型体であることを特徴とする〔ｖ〕又は〔ｖｉ〕記載の発光装置。
〔ｉｘ〕  上記ＬＥＤ光源が青色光を出射するものであり、該ＬＥＤ光源の発光軸上に、青色光を吸収して上記演色性向上部材に含まれる蛍光体とは波長の異なる光を発する蛍光体を含む波長変換部材を備えることを特徴とする〔ｉ〕〜〔ｖｉｉｉ〕のいずれかに記載の発光装置。
〔ｘ〕  上記ＬＥＤ光源が白色光を出射するものであることを特徴とする〔ｉ〕〜〔ｖｉｉｉ〕のいずれかに記載の発光装置。